Podtech/llm-jp-corpus-v4-ja_patent huggingface dataset:
【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
把持部分（３）およびクリーニング部分（４）を備える歯間クリーナであって、前記歯間クリーナは、細長いボディ（２）によって形成され、前記細長いボディ（２）は、熱可塑性プラスチック材料から作られ、前記クリーニング部分（４）は、コーティング（Ｃ）を有し、前記コーティング（Ｃ）は、熱加硫ゴム材料から成り、そして周辺の可撓性ブラシ部材を形成し、前記ブラシ部材は、間隔を置かれた複数の周辺ブラシ・フランジ（６）として形成され、前記複数の周辺ブラシ・フランジ（９）の放射状延長部は、前記クリーニング部分（４）の自由端（７）に向かって漸減していて、前記複数のブラシ・フランジ（６）の外周は、実質的に円形の形状を形成する、歯間クリーナ。
【請求項２】
各ブラシ・フランジ（６）の外周は、円弧状であり、そして前記実質的に円形の形状の一部を形成する、請求項１に記載の歯間クリーナ。
【請求項３】
前記ブラシ・フランジ（６）は、前記クリーニング部分（４）に沿って実質的に等距離で間隔を置かれる、請求項１または２に記載の歯間クリーナ。
【請求項４】
前記ブラシ・フランジ（６）は、前記クリーニング部分に沿って交互のペアに配置される、請求項１〜３のいずれか１項に記載の歯間クリーナ。
【請求項５】
ブラシ・フランジの第１のペアは、第１の逆方向（ＦＯＤ）において前記クリーニング部分（４）の中心軸（ＣＡ）から放射状に延びる２つの逆のフランジ（６Ｆ）を有し、一方、ブラシ・フランジの隣接する第２のペアは、第２の逆方向（ＳＯＤ）において前記中心軸（ＣＡ）から放射状に延びる２つの逆のフランジ（６Ｓ）を有し、前記方向間の角度は、約９０°である、請求項４に記載の歯間クリーナ。
【請求項６】
前記ブラシ・フランジ（６）は、実質的に円形の形状を定める十字状または４翼の配置に、好ましくは四つ葉のクローバ形状に配列される、請求項４または５に記載の歯間クリーナ。
【請求項７】
前記クリーニングボディ部分（２ａ）は、その自由端（７）に向かってテーパーがついている、請求項１〜６のいずれか１項に記載の歯間クリーナ。
【請求項８】
前記クリーニング部分ボディ（２ａ）は、軸状の隆起および溝（１５、１６）を備える、請求項１〜７のいずれか１項に記載の歯間クリーナ。
【請求項９】
前記クリーニングボディ部分（２ａ）の前記隆起（１５）は、前記ブラシ・フランジ（６Ｆ、６Ｓ）の前記第１および第２の方向と一致する半径方向において突出する、請求項５に従属するときの請求項６または７に記載の歯間クリーナ。
【請求項１０】
前記逆方向（ＦＯＤ、ＳＯＤ）を含む軸平面は、前記クリーニング部分ボディ（２ａ）の前記隆起（１５）と一致し、一方、前記溝（１６）は、前記ブラシ・フランジ（６）によって形成される傾斜した凹部と一致する、請求項９に記載の歯間クリーナ。
【請求項１１】
前記ゴム材料は、熱硬化性ゴム、好ましくはシリコーン系ゴム、から成る、請求項１〜１０のいずれか１項に記載の歯間クリーナ。
【請求項１２】
前記ゴム材料は、１０〜６０のＳｈｏｒｅ  Ａの範囲、好ましくは１５〜３０のＳｈｏｒｅ  Ａの範囲、および最も好ましくは約２０のＳｈｏｒｅ  Ａ、のショア硬さを有する、請求項１〜１１のいずれか１項に記載の歯間クリーナ。
【請求項１３】
前記ボディ（２）を形成している前記熱可塑性プラスチック材料は、ガラス繊維、炭素繊維、アラミド繊維またはミネラルによって強化され、前記繊維強化材は、前記熱可塑性プラスチック材料の好ましくは５〜３０重量％、最も好ましくは１０〜２０重量％、の比率のガラス繊維を含む、請求項１〜１２のいずれか１項に記載の歯間クリーナ。
【請求項１４】
前記熱可塑性プラスチック材料は、アミド・プラスチックまたはポリエステルから成る、請求項１〜１３のいずれか１項に記載の歯間クリーナ。
【請求項１５】
前記コーティング（Ｃ）は、前記把持部分（３）にも少なくとも部分的に適用され、前記把持部分（３）に適用される前記コーティング（Ｃ）は、その上のレリーフ構造（８〜１３）を好ましくは形成する、請求項１〜１４のいずれか１項に記載の歯間クリーナ。
【請求項１６】
前記把持部分（３）は、２つの反対の実質的に平坦な掴み面（３ａ、３ｂ）を定義している実質的に矩形の断面、および、前記把持部分（３）の外周に沿って伸びている外リム（１８）、を有する、請求項１〜１５のいずれか１項に記載の歯間クリーナ。
【請求項１７】
前記把持部分（３）は、前記クリーニング部分（４）に向かってテーパーづけられた移行部（５）を備える、請求項１〜１６のいずれか１項に記載の歯間クリーナ。
【請求項１８】
前記クリーニング部分（４）の軸の長さ（Ｌ１）は、前記歯間クリーナ（１）の全体の軸の長さ（Ｌ１＋Ｌ２）の３５〜５５％の範囲、好ましくは４０〜５０％の範囲、および最も好ましくは約４５％、である、請求項１〜１７のいずれか１項に記載の歯間クリーナ。
【請求項１９】
前記テーパーづけられた移行部（５）を含む前記把持部分（３）の軸の長さ（Ｌ２）は、前記歯間クリーナ（１）の全体の軸の長さ（Ｌ１＋Ｌ２）の４５〜６５％の範囲、好ましくは５０〜６０％の範囲、および最も好ましくは約５５％、である、請求項１７または１８に記載の歯間クリーナ。
【請求項２０】
前記自由端（７）での前記クリーニング部分（４）の交差サイズ（Ｄ２）は、前記移行部（５）に隣接した前記クリーニング部分（４）の交差サイズ（Ｄ１）の約４０〜５０％を構成し、好ましくはその割合（Ｄ２／Ｄ１）は約４５％である、請求項７に従属するときの請求項８〜１６のいずれか１項に従属するときの請求項１７〜１９のいずれか１項に記載の歯間クリーナ。
【請求項２１】
前記歯間クリーナが薄い切り取りブリッジまたはリンクによって互いに接続している、請求項１〜２０のいずれか１項に記載の歯間クリーナのセット。
【手続補正書】
【提出日】平成30年1月18日(2018.1.18)
【手続補正１】
【補正対象書類名】特許請求の範囲
【補正対象項目名】全文
【補正方法】変更
【補正の内容】
【特許請求の範囲】
【請求項１】
遊技媒体が通過することによって賞球が払い出される所定領域と、
遊技の進行を制御する主基板に設けられ、前記遊技媒体の所定領域への通過によって払い出される賞球に関する所定情報を表示可能な情報表示手段と、
前記主基板が封入されているとともに、かしめられた透明な基板ケースと、
前記基板ケースに貼付された封印シールと、を備え、
前記情報表示手段は、前記基板ケース内における前記封印シールによって隠されない位置に配置されていることを特徴とする遊技機。
【手続補正２】
【補正対象書類名】明細書
【補正対象項目名】００１０
【補正方法】変更
【補正の内容】
【００１０】
手段Ａ１の遊技機（例えば、パチンコ遊技機１）は、遊技媒体（例えば、遊技球）が通過することによって賞球が払い出される所定領域（例えば、第２始動入賞口となる普通可変入賞球装置６Ｂ、大入賞口となる特別可変入賞球装置７、第１始動入賞口となる普通入賞球装置６Ａ、一般入賞領域となる一般入賞口５０Ａ〜５０Ｄ）と、遊技の進行を制御する主基板（例えば、主基板１１）に設けられ、前記遊技媒体の所定領域への通過によって払い出される賞球に関する所定情報（例えば、役連、役比）を表示可能な情報表示手段（例えば、表示モニタ２９）と、前記主基板が封入されているとともに、かしめられた透明な基板ケース（例えば、基板ケース２０１）と、前記基板ケースに貼付された封印シール（例えば、封印シール１１Ｓ）と、を備え、前記情報表示手段は、前記基板ケース内における前記封印シールによって隠されない位置に配置されている（例えば、表示モニタ２９は、封印シール１１Ｓによって隠されない位置に配置されている）ことを特徴とする。
上記構成によれば、どのような調整を加えられたかを認識できる。
【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域に配された第１入球口、及び第２入球口と、
前記第２入球口へ遊技球が入球可能な開状態と、前記第２入球口への入球が不可能又は前記開状態よりも困難な閉状態とをとる入球口開閉部材と、
前記遊技領域に配された特別入賞口と、前記特別入賞口を開閉する特別入賞口開閉部材と、前記特別入賞口に入賞した遊技球が通過可能であって、その通過の可否が予め定められたタイミングで切り替えられる特定領域と、を有する特別入賞手段と、
前記特別入賞口とは異なる他の特別入賞口と、前記他の特別入賞口を開閉する他の特別入賞口開閉部材と、を有する他の特別入賞手段と、
前記第１入球口への入球に基づいて判定情報を取得する第１判定情報取得手段と、
前記第２入球口への入球に基づいて判定情報を取得する第２判定情報取得手段と、
前記第１判定情報取得手段により取得された判定情報を、その判定情報に基づく第１当たり判定が実行されるまでの間、所定の上限記憶数を限度として記憶可能な第１入球口用記憶手段と、
前記第２判定情報取得手段により取得された判定情報を、その判定情報に基づく第２当たり判定が実行されるまでの間、所定の上限記憶数を限度として記憶可能な第２入球口用記憶手段と、
予め定めた第１の判定条件が成立すると、前記第１判定情報取得手段により取得された判定情報に基づいて前記第１当たり判定を行う第１当たり判定手段と、
予め定めた第２の判定条件が成立すると、前記第２判定情報取得手段により取得された判定情報に基づいて前記第２当たり判定を行う第２当たり判定手段と、
当たりに当選した場合に、当たりの種類を判定する当たり種別判定手段と、
当選した当たりの種類に応じて設定された開放パターンにて前記特別入賞口開閉部材又は前記他の特別入賞口開閉部材を開放する特別遊技制御手段と、
当選した当たりの種類に応じて特別遊技後の遊技状態を所定の終了条件が成立するまで通常遊技状態よりも前記第２当たり判定が行われやすい特典遊技状態に制御可能な遊技状態制御手段と、
遊技の進行に伴って遊技に関する演出を制御する演出制御手段と、を備えた遊技機であって、
前記特別遊技制御手段は、
当選した当たりの種類が特定当たりであった場合に、前記特別入賞口開閉部材を開放する第１特別遊技を行うと共に、
前記第１特別遊技の実行中に前記特定領域へ遊技球が通過した場合に、前記特別入賞口開閉部材又は前記他の特別入賞口開閉部材を開放する第２特別遊技を実行可能に構成されており、
前記演出制御手段は、
前記第２特別遊技の開始からの所定の演出実行のタイミングまでに前記第２入球口用記憶手段に特定の判定情報の記憶があれば、前記第２特別遊技の終了後に前記第１特別遊技が実行されることを示唆する特定の示唆演出をエンディング演出の実行期間を含む前記第２特別遊技中の所定のタイミングで実行可能であり、
前記特定の示唆演出には、実行中の前記第２特別遊技の終了後であって、次回の前記第１特別遊技が実行されるまでの時間を報知する演出を含むものであることを特徴とする遊技機。
【手続補正２】
【補正対象書類名】明細書
【補正対象項目名】０００９
【補正方法】変更
【補正の内容】
【０００９】
本発明の遊技機は、
遊技球が流下可能な遊技領域に配された第１入球口、及び第２入球口と、
前記第２入球口へ遊技球が入球可能な開状態と、前記第２入球口への入球が不可能又は前記開状態よりも困難な閉状態とをとる入球口開閉部材と、
前記遊技領域に配された特別入賞口と、前記特別入賞口を開閉する特別入賞口開閉部材と、前記特別入賞口に入賞した遊技球が通過可能であって、その通過の可否が予め定められたタイミングで切り替えられる特定領域と、を有する特別入賞手段と、
前記特別入賞口とは異なる他の特別入賞口と、前記他の特別入賞口を開閉する他の特別入賞口開閉部材と、を有する他の特別入賞手段と、
前記第１入球口への入球に基づいて判定情報を取得する第１判定情報取得手段と、
前記第２入球口への入球に基づいて判定情報を取得する第２判定情報取得手段と、
前記第１判定情報取得手段により取得された判定情報を、その判定情報に基づく第１当たり判定が実行されるまでの間、所定の上限記憶数を限度として記憶可能な第１入球口用記憶手段と、
前記第２判定情報取得手段により取得された判定情報を、その判定情報に基づく第２当たり判定が実行されるまでの間、所定の上限記憶数を限度として記憶可能な第２入球口用記憶手段と、
予め定めた第１の判定条件が成立すると、前記第１判定情報取得手段により取得された判定情報に基づいて前記第１当たり判定を行う第１当たり判定手段と、
予め定めた第２の判定条件が成立すると、前記第２判定情報取得手段により取得された判定情報に基づいて前記第２当たり判定を行う第２当たり判定手段と、
当たりに当選した場合に、当たりの種類を判定する当たり種別判定手段と、
当選した当たりの種類に応じて設定された開放パターンにて前記特別入賞口開閉部材又は前記他の特別入賞口開閉部材を開放する特別遊技制御手段と、
当選した当たりの種類に応じて特別遊技後の遊技状態を所定の終了条件が成立するまで通常遊技状態よりも前記第２当たり判定が行われやすい特典遊技状態に制御可能な遊技状態制御手段と、
遊技の進行に伴って遊技に関する演出を制御する演出制御手段と、を備えた遊技機であって、
前記特別遊技制御手段は、
当選した当たりの種類が特定当たりであった場合に、前記特別入賞口開閉部材を開放する第１特別遊技を行うと共に、
前記第１特別遊技の実行中に前記特定領域へ遊技球が通過した場合に、前記特別入賞口開閉部材又は前記他の特別入賞口開閉部材を開放する第２特別遊技を実行可能に構成されており、
前記演出制御手段は、
前記第２特別遊技の開始からの所定の演出実行のタイミングまでに前記第２入球口用記憶手段に特定の判定情報の記憶があれば、前記第２特別遊技の終了後に前記第１特別遊技が実行されることを示唆する特定の示唆演出をエンディング演出の実行期間を含む前記第２特別遊技中の所定のタイミングで実行可能であり、
前記特定の示唆演出には、実行中の前記第２特別遊技の終了後であって、次回の前記第１特別遊技が実行されるまでの時間を報知する演出を含むものであることを特徴とする遊技機である。
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
予め定められた制御条件の成立に基づいて遊技者に有利な特別遊技状態に制御される遊技機において、
表示画面を有する表示装置と、
前記表示画面の前方で変位可能な演出可動体と、
前記演出可動体を所定の待機位置から前記待機位置よりも当該演出可動体によって前記表示画面が隠れる動作位置へ駆動可能であると共に、前記動作位置から前記待機位置へ復帰可能な可動体制御手段と、
操作可能な演出用操作手段と、
前記演出用操作手段への特定の操作に基づいて前記表示画面にて所定の設定画像を表示可能な設定画像表示手段と、
前記設定画像が表示されているときに前記演出用操作手段への入力操作に基づいて、所定の設定情報を変更可能な設定情報変更手段と、
遊技の進行に応じて演出を制御する演出制御手段と、を備え、
前記演出制御手段は、所定の開始条件の成立を条件に、前記演出可動体を所定の終了条件の成立まで前記動作位置に維持する特殊演出モードを実行可能であり、
前記可動体制御手段は、前記特殊演出モードが実行中である場合に、前記演出用操作手段への特定の操作が行われた場合には、前記演出可動体を所定の待機位置に変位させることを特徴とする遊技機。
【手続補正２】
【補正対象書類名】明細書
【補正対象項目名】０００５
【補正方法】変更
【補正の内容】
【０００５】
ところで、上記特許文献１に記載の遊技機では、変動演出の実行中に演出可動体の駆動及び復帰が行われるが、変動演出とは無関係に演出可動体の駆動及び復帰を行う構成が考えられる。
【手続補正３】
【補正対象書類名】明細書
【補正対象項目名】０００６
【補正方法】変更
【補正の内容】
【０００６】
本発明は上記事情に鑑みてなされたものである。すなわちその課題とするところは、演出可動体が待機位置から動作位置へ駆動する演出が実行中であっても遊技機に関する設定の変更が可能な遊技機を提供することにある。
【手続補正４】
【補正対象書類名】明細書
【補正対象項目名】０００７
【補正方法】変更
【補正の内容】
【０００７】
本発明の遊技機は、
予め定められた制御条件の成立に基づいて遊技者に有利な特別遊技状態に制御される遊技機において、
表示画面を有する表示装置と、
前記表示画面の前方で変位可能な演出可動体と、
前記演出可動体を所定の待機位置から前記待機位置よりも当該演出可動体によって前記表示画面が隠れる動作位置へ駆動可能であると共に、前記動作位置から前記待機位置へ復帰可能な可動体制御手段と、
操作可能な演出用操作手段と、
前記演出用操作手段への特定の操作に基づいて前記表示画面にて所定の設定画像を表示可能な設定画像表示手段と、
前記設定画像が表示されているときに前記演出用操作手段への入力操作に基づいて、所定の設定情報を変更可能な設定情報変更手段と、
遊技の進行に応じて演出を制御する演出制御手段と、を備え、
前記演出制御手段は、所定の開始条件の成立を条件に、前記演出可動体を所定の終了条件の成立まで前記動作位置に維持する特殊演出モードを実行可能であり、
前記可動体制御手段は、前記特殊演出モードが実行中である場合に、前記演出用操作手段への特定の操作が行われた場合には、前記演出可動体を所定の待機位置に変位させることを特徴とする遊技機である。
【手続補正５】
【補正対象書類名】明細書
【補正対象項目名】０００８
【補正方法】変更
【補正の内容】
【０００８】
本発明の遊技機によれば、演出可動体が待機位置から動作位置へ駆動する演出が実行中であっても遊技機に関する設定の変更を違和感なく行うことができる。
【手続補正６】
【補正対象書類名】明細書
【補正対象項目名】０４１１
【補正方法】変更
【補正の内容】
【０４１１】
この構成の遊技機によれば、遊技場での営業開始時間前に、遊技場の従業員が電源を投入することにより、当該遊技機が稼働状態になると共に、演出可動体が動作位置にある状態になる。そのため、営業開始時間後で比較的直ぐに（例えば午前中に）遊技場に来た遊技者には、始めから動作位置にある演出可動体を見せることにより、インパクトを与えることが可能である。
ところで、上記特許文献１に記載の遊技機では、変動演出の実行中に演出可動体の駆動及び復帰が行われるが、変動演出とは無関係に演出可動体の駆動及び復帰を行う構成が考えられる。しかしながらこの構成の場合、演出可動体が待機位置から動作位置へ駆動する途中で、変動演出が開始する状況が生じ得る。そうなると、駆動中の演出可動体が変動表示を開始する演出図柄を隠してしまい、演出図柄の視認性が担保できないおそれがある。つまり、演出図柄の変動開始タイミングで当該演出図柄が見えないと、遊技者はいつ変動演出が開始されたのかを把握できないおそれがある。
参考発明は上記事情に鑑みてなされたものである。すなわちその課題とするところは、演出可動体が待機位置から動作位置へ駆動する途中で変動演出が開始されても、演出図柄の視認性を担保することが可能な遊技機を提供することにある。
参考発明の遊技機によれば、演出可動体が待機位置から動作位置へ駆動する途中で変動演出が開始されても、演出図柄の視認性を担保することが可能である。
【手続補正書】
【提出日】平成30年3月7日(2018.3.7)
【手続補正１】
【補正対象書類名】特許請求の範囲
【補正対象項目名】全文
【補正方法】変更
【補正の内容】
【特許請求の範囲】
【請求項１】
所定の契機に基づき、遊技者にとって有利な特別遊技状態を発生させるか否かの抽選を行い、前記抽選の結果に基づいて前記特別遊技状態を発生させる制御手段と、
識別情報を変動表示可能な可変表示装置と、
前記可変表示装置において、前記識別情報を変動表示させ、所定時間後、前記抽選の結果に基づいて前記識別情報を停止表示させる表示制御手段とを具備した遊技機であって、
所定の遊技状態の発生を示唆する示唆演出を実行可能な示唆手段を備え、
前記示唆手段により実行される示唆演出において、第１示唆演出は複数回の変動表示に跨って導出されるものであることを特徴とする遊技機。
【請求項２】
前記遊技機は、パチンコ機、又は、回胴式遊技機であることを特徴とする請求項１に記載の遊技機。
【手続補正２】
【補正対象書類名】明細書
【補正対象項目名】０００７
【補正方法】変更
【補正の内容】
【０００７】
本発明の遊技機は、
所定の契機に基づき、遊技者にとって有利な特別遊技状態を発生させるか否かの抽選を行い、前記抽選の結果に基づいて前記特別遊技状態を発生させる制御手段と、
識別情報を変動表示可能な可変表示装置と、
前記可変表示装置において、前記識別情報を変動表示させ、所定時間後、前記抽選の結果に基づいて前記識別情報を停止表示させる表示制御手段とを具備した遊技機であって、
所定の遊技状態の発生を示唆する示唆演出を実行可能な示唆手段を備え、
前記示唆手段により実行される示唆演出において、第１示唆演出は複数回の変動表示に跨って導出されるものであることを特徴としている。
【手続補正３】
【補正対象書類名】明細書
【補正対象項目名】０００８
【補正方法】変更
【補正の内容】
【０００８】
尚、前記遊技機は、パチンコ機、又は、回胴式遊技機であることとしてもよい。
【手続補正書】
【提出日】平成30年1月30日(2018.1.30)
【手続補正１】
【補正対象書類名】特許請求の範囲
【補正対象項目名】全文
【補正方法】変更
【補正の内容】
【特許請求の範囲】
【請求項１】
液透過性の表面シートと、液不透過性の裏面シートと、前記表面シートと前記裏面シートとの間に配された吸収体とを備える吸収性物品であって、
前記表面シートと前記吸収体とを共に圧縮して形成された複数の凹部で構成され、かつ相互に交差する圧縮列が複数配列し、
前記圧縮列の交差領域および／または該交差領域の周辺には、低坪量部が設けられることを特徴とする吸収性物品。
【請求項２】
前記交差領域における前記低坪量部の吸収体の密度は、前記低坪量部以外の前記圧縮列が形成された領域の吸収体の密度よりも低いことを特徴とする請求項１に記載の吸収性物品。
【請求項３】
前記交差領域における前記低坪量部の吸収体の密度は、前記低坪量部以外の前記圧縮列が形成された領域の吸収体の密度と等しい、または、該密度よりも高いことを特徴とする請求項１に記載の吸収性物品。
【請求項４】
前記複数の凹部は、前記表面シート側に、前記表面シートと前記吸収体とを圧縮して形成されたことを特徴とする請求項１ないし３のいずれか１項に記載の吸収性物品。
【請求項５】
前記複数の凹部は、連続する溝であることを特徴とする請求項１ないし４のいずれか１項に記載の吸収性物品。
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
吐出口から液体を吐出する吐出手段と、
前記吐出口の設けられた吐出口面を払拭するブレードと、
前記ブレードと当接して前記ブレードのクリーニングを行うクリーナと、
前記ブレードが前記吐出口面を払拭する直前に行うことができる複数の動作のうち、前記ブレードが前記吐出口面を払拭する直前に行われた動作の累積情報を記憶する記憶手段と、
前記記憶手段が記憶している情報に基づいて前記前記クリーナの寿命を報知する報知手段と、
を有することを特徴とする記録装置。
【請求項２】
吐出口から液体を吐出する吐出手段と、
前記吐出口の設けられた吐出口面を払拭するブレードと、
前記ブレードと当接して前記ブレードのクリーニングを行うクリーナと、
前記ブレードが前記吐出口面を払拭する直前に行われた動作の種類に基づいて重み付けを行った結果の累積情報を記憶する記憶手段と、
前記記憶手段が記憶した情報に基づいて前記クリーナの寿命を報知する報知手段と、
を有することを特徴とする記録装置。
【請求項３】
前記重み付けは前記ブレードによる前記吐出口面の払拭の回数に係数を乗じて行い、前記記憶手段は前記吐出口面の払拭の回数に係数を乗じた数値の累積結果を記憶することを特徴とする請求項２に記載の記録装置。
【請求項４】
前記クリーナによる前記ブレードのクリーニングが前回実施されてからの間隔に基づいて、前記重み付けを行うことを特徴とする請求項２または請求項３に記載の記録装置。
【請求項５】
前記ブレードが前記吐出口面を払拭する直前に行われた複数の一連の動作の内容に基づいて前記重み付けを行うことを特徴とする請求項２ないし請求項４に記載の記録装置。
【請求項６】
前記報知手段の報知結果に応じて、装置の動作を変更することを特徴とする請求項１ないし請求項５のいずれか１項に記載の記録装置。
【請求項７】
前記回復手段は、前記吐出手段の前記吐出口面を覆うキャップを備えていることを特徴とする請求項１ないし請求項６のいずれか１項に記載の記録装置。
【請求項８】
液体が吐出される吐出口が設けられた吐出口面をブレードで払拭するワイプ工程と、
前記ブレードをクリーナでクリーニングするクリーニング工程と、
前記ブレードが前記吐出口面を払拭する直前に行うことができる複数の動作のうち、前記ブレードが前記吐出口面を払拭する直前に行われた動作の累積情報を記憶する記憶工程と、
前記記憶工程で記憶した情報に基づいて前記クリーナの寿命を報知する報知工程と、
を含むことを特徴とする寿命判定方法。
【請求項９】
液体が吐出される吐出口が設けられた吐出口面をブレードで払拭するワイプ工程と、
前記ブレードをクリーナでクリーニングするクリーニング工程と、
前記ブレードが前記吐出口面を払拭する直前に行われた動作の種類に基づいて重みづけを行った結果の累積情報を記憶する記憶工程と、
前記記憶工程で記憶した情報に基づいて前記クリーナの寿命報知する報知工程と、
を含むことを特徴とする寿命判定方法。
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
所定の入賞口を開放させる特定のラウンド遊技を含む大当たり遊技を実行可能であり、前記特定のラウンド遊技において前記入賞口を通過した遊技球が特定領域を通過すると、前記大当たり遊技の終了後の遊技状態を、通常確率状態よりも大当たりに当選し易い高確率状態に制御可能な遊技機であって、
遊技球が前記特定領域を通過可能な第１状態と、遊技球が前記特定領域を通過不可能な第２状態とをとり得る振分部材を備え、
前記特定のラウンド遊技において、前記入賞口の開放に応じて前記振分部材を前記第２状態から前記第１状態にする第１特定領域開放制御と、前記入賞口への入賞球数が所定数になったことに基づいて前記振分部材を前記第２状態から前記第１状態にする第２特定領域開放制御とを行うことが可能であることを特徴とする遊技機。
【手続補正２】
【補正対象書類名】明細書
【補正対象項目名】０００７
【補正方法】変更
【補正の内容】
【０００７】
本発明の遊技機は、
所定の入賞口を開放させる特定のラウンド遊技を含む大当たり遊技を実行可能であり、前記特定のラウンド遊技において前記入賞口を通過した遊技球が特定領域を通過すると、前記大当たり遊技の終了後の遊技状態を、通常確率状態よりも大当たりに当選し易い高確率状態に制御可能な遊技機であって、
遊技球が前記特定領域を通過可能な第１状態と、遊技球が前記特定領域を通過不可能な第２状態とをとり得る振分部材を備え、
前記特定のラウンド遊技において、前記入賞口の開放に応じて前記振分部材を前記第２状態から前記第１状態にする第１特定領域開放制御と、前記入賞口への入賞球数が所定数になったことに基づいて前記振分部材を前記第２状態から前記第１状態にする第２特定領域開放制御とを行うことが可能であることを特徴とする遊技機である。
【手続補正書】
【提出日】平成30年9月20日(2018.9.20)
【手続補正１】
【補正対象書類名】特許請求の範囲
【補正対象項目名】全文
【補正方法】変更
【補正の内容】
【特許請求の範囲】
【請求項１】
所定条件の成立により遊技者に有利な特別遊技を実行するか否かの判定を行い、該判定によって前記特別遊技を実行すると判定された場合に前記特別遊技を実行する遊技機であって、
操作可能な演出用操作手段と、
前記判定の結果に基づいて、前記特別遊技を実行する可能性があることを示唆する特定演出を実行可能な演出制御手段と、を備え、
前記演出制御手段は、前記演出用操作手段に対して第１の操作がされると第１の特定演出を実行可能とし、前記演出用操作手段に対して前記第１の操作とは異なる第２の操作がされると前記第１の特定演出を実行する場合よりも前記特別遊技を実行する可能性が高いことを示唆する第２の特定演出を実行可能とする、ことを特徴とする遊技機。
【手続補正２】
【補正対象書類名】明細書
【補正対象項目名】０００６
【補正方法】変更
【補正の内容】
【０００６】
第１の発明に係る遊技機は、所定条件の成立により遊技者に有利な特別遊技（例えば、大当たり遊技）を実行するか否かの判定を行い、該判定によって前記特別遊技を実行すると判定された場合に前記特別遊技を実行する遊技機であって、操作可能な演出用操作手段（例えば、左スロットル６１０や右スロットル６２０）と、前記判定の結果に基づいて、前記特別遊技を実行する可能性があることを示唆する特定演出（例えば、スロットルリーチ）を実行可能な演出制御手段と、を備え、前記演出制御手段は、前記演出用操作手段に対して第１の操作（例えば、第１段階までの操作）がされると第１の特定演出（例えば、キャラクタＡの表示演出）を実行可能とし、前記演出用操作手段に対して前記第１の操作とは異なる第２の操作（例えば、第２段階までの操作）がされると前記第１の特定演出を実行する場合よりも前記特別遊技を実行する可能性が高いことを示唆する第２の特定演出（例えば、キャラクタＢの表示演出）を実行可能とする、ことを特徴とする。
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
観察光学系を有する挿入部を備える内視鏡とともに用いられる内視鏡用処置具であって、
前記挿入部をその内側に挿通させる内径を有するとともに、前記内側に液体を供給する送液源と接続可能であり、副鼻腔内に対して先端から前記液体を供給するガイドシースを有する、内視鏡用処置具。
【請求項２】
前記ガイドシースは、
前記ガイドシースの前記先端のみが副鼻腔内に維持されるように前記挿入部の先端が前記ガイドシースの前記先端よりも基端側に配される第１の状態、および、前記ガイドシースの前記先端および前記挿入部の前記先端が副鼻腔内に維持されるように前記挿入部の前記先端が前記ガイドシースの前記先端に重なるように配される第２の状態をとることが可能であり、
前記送液源から所定の量の前記液体を供給する際、前記第２の状態で供給する前記液体の量よりも、前記第１の状態で供給する前記液体の量を多くすることができる、請求項１に記載の内視鏡用処置具。
【請求項３】
前記ガイドシースは、切替弁を介して前記送液源と接続可能であるとともに、前記切替弁を介して吸引源と接続可能であり、
前記吸引源で前記副鼻腔内の物質を吸引する際、前記第２の状態で吸引する前記物質の量よりも、前記第１の状態で吸引する前記物質の量を多くすることができる、請求項２に記載の内視鏡用処置具。
【請求項４】
前記ガイドシースは、前記挿入部に対して個別に移動される非連動状態をとることが可能であり、
前記非連動状態のとき、前記挿入部を前記ガイドシースから引き抜くように移動させることで、前記第２の状態から前記第１の状態へと切り替え可能である、請求項２に記載の内視鏡用処置具。
【請求項５】
第１の先端を有し、前記第１の先端を通して前記観察光学系で前記挿入部の前記先端の先端側かつ前記第１の先端の先端側を観察可能に、又は、前記挿入部の前記先端を前記第１の先端に対して突出させた状態で前記挿入部の前記先端の先端側を前記観察光学系で観察可能に、前記挿入部をその内側に挿通させるガイドパイプをさらに有し、
前記ガイドシースは、前記ガイドパイプの前記第１の先端に対して前記ガイドシースの前記先端を突出可能に前記ガイドパイプの前記内側に挿通され、前記ガイドシースに対して前記挿入部を一緒に移動させる連動状態、および、前記ガイドシースに対して前記挿入部を個別に移動させる非連動状態をとることが可能である、請求項１に記載の内視鏡用処置具。
【請求項６】
前記ガイドシースは曲げ癖形状が付されたガイドシース屈曲部を有する、請求項１に記載の内視鏡用処置具。
【請求項７】
前記ガイドシースの先端から前記ガイドシース屈曲部までの距離は、前記内視鏡の前記挿入部の先端から基端側の、曲げ癖形状が付された挿入部屈曲部までの距離に一致する、請求項６に記載の内視鏡用処置具。
【請求項８】
前記ガイドシースの先端から前記ガイドシース屈曲部までの距離は、前記内視鏡の前記挿入部の先端から基端側の、曲げ癖形状が付された挿入部屈曲部までの距離よりも大きい、請求項６に記載の内視鏡用処置具。
【請求項９】
前記ガイドシースの先端から前記ガイドシース屈曲部までの距離は、前記内視鏡の前記挿入部の先端からから基端側の、曲げ癖形状が付された挿入部屈曲部までの距離よりも小さい、請求項６に記載の内視鏡用処置具。
【請求項１０】
前記液体は粘性を有するゲルである、請求項１に記載の内視鏡用処置具。
【請求項１１】
前記液体は体温程度の温度になると粘性が増す温度応答性ゲルである、請求項１０に記載の内視鏡用処置具。
【請求項１２】
前記液体はステロイド及び/又は抗菌剤である、請求項１に記載の内視鏡用処置具。
【請求項１３】
可撓性を有し観察光学系がその内側に挿通された挿入部を備える内視鏡と、
前記ガイドシースに対して前記挿入部が挿通される、請求項１に記載の内視鏡用処置具と
を有する、処置具ユニット。
【手続補正２】
【補正対象書類名】明細書
【補正対象項目名】発明の名称
【補正方法】変更
【補正の内容】
【発明の名称】内視鏡用処置具、および、処置具ユニット
【手続補正３】
【補正対象書類名】明細書
【補正対象項目名】０００１
【補正方法】変更
【補正の内容】
【０００１】
この発明は、内視鏡とともに用いられる内視鏡用処置具、および、その処置具を有する処置具ユニットに関する。
【手続補正４】
【補正対象書類名】明細書
【補正対象項目名】０００４
【補正方法】変更
【補正の内容】
【０００４】
この発明は、鼻の、例えば副鼻腔に液体を供給可能な内視鏡用処置具、および、処置具ユニットを提供することを目的とする。
【手続補正５】
【補正対象書類名】明細書
【補正対象項目名】０００５
【補正方法】変更
【補正の内容】
【０００５】
この発明の一態様に係る、観察光学系を有する挿入部を備える内視鏡とともに用いられる内視鏡用処置具は、前記挿入部をその内側に挿通させる内径を有するとともに、前記内側に液体を供給する送液源と接続可能であり、副鼻腔内に対して先端から前記液体を供給するガイドシースを有する。
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
交換部品を装着する装置が送信する送信情報を受信する第１手段と、
受信した前記送信情報を、前記交換部品に関する数値情報に加算して新たな前記数値情報を求める、或いは、前記数値情報から減算して新たな前記数値情報を求める第２手段と、
前記数値情報の記憶手段と、を備えることを特徴とする交換部品のＩＣチップ。
【請求項２】
交換部品を装着する装置が送信する送信情報を受信する第１手段と、
受信した前記送信情報を、前記交換部品に関する数値情報の記憶手段に反映させる前に、受信した前記送信情報の反映が、前記数値情報の正規の傾向変化に反するか否かを判定し、反すると判定した際に、受信した前記送信情報を、前記記憶手段に反映させず、反しないと判定した際に、受信した前記送信情報を、前記記憶手段に反映させる第２手段と、
前記記憶手段と、を備えることを特徴とするＩＣチップ。
【請求項３】
請求項１に記載の交換部品のＩＣチップまたは請求項２に記載のＩＣチップを備えることを特徴とする交換部品。
【請求項４】
請求項３に記載の交換部品の装着手段と、前記送信情報の送信手段と、を備えることを特徴とする装置。
【請求項５】
プロセッサを、
請求項１に記載の交換部品のＩＣチップまたは請求項２に記載のＩＣチップの前記第２手段として機能させるための制御プログラム。
【手続補正２】
【補正対象書類名】明細書
【補正対象項目名】０００６
【補正方法】変更
【補正の内容】
【０００６】
上記課題を解決するため本発明の交換部品のＩＣチップは、交換部品を装着する装置が送信する送信情報を受信する第１手段と、受信した前記送信情報を、前記交換部品に関する数値情報に加算して新たな前記数値情報を求める、或いは、前記数値情報から減算して新たな前記数値情報を求める第２手段と、前記数値情報の記憶手段と、を備えることを特徴とする。
ＩＣチップは、交換部品を装着する装置が送信する送信情報を受信する第１手段と、受信した前記送信情報を、前記交換部品に関する数値情報の記憶手段に反映させる前に、受信した前記送信情報の反映が、前記数値情報の正規の傾向変化に反するか否かを判定し、反すると判定した際に、受信した前記送信情報を、前記記憶手段に反映させず、反しないと判定した際に、受信した前記送信情報を、前記記憶手段に反映させる第２手段と、前記記憶手段と、を備えることを特徴とする。
【手続補正３】
【補正対象書類名】明細書
【補正対象項目名】０００４
【補正方法】変更
【補正の内容】
【０００４】
ところで、従来の交換部品システムは、交換部品のＩＣチップの数値情報を改ざんする既存のＩＣリセッターの改ざん機能を無効にすることができないと言った問題があった。
また、ＩＣチップの数値情報の改ざん（数値情報の正規の傾向変化に反する更新）を防止することができないと言った問題があった。
【手続補正４】
【補正対象書類名】明細書
【補正対象項目名】０００５
【補正方法】変更
【補正の内容】
【０００５】
そこで、本発明の目的は、交換部品のＩＣチップの数値情報を改ざんする既存のＩＣリセッターの改ざん機能を無効にすることができる交換部品のＩＣチップを提供することにある。
また、ＩＣチップの数値情報の改ざん（数値情報の正規の傾向変化に反する更新）を防止することができるＩＣチップを提供することにある。
【手続補正５】
【補正対象書類名】明細書
【補正対象項目名】０００７
【補正方法】変更
【補正の内容】
【０００７】
本発明によれば、請求項１は、交換部品のＩＣチップの数値情報を改ざんする既存のＩＣリセッターの改ざん機能を無効にすることができる。
請求項２は、ＩＣチップの数値情報の改ざん（数値情報の正規の傾向変化に反する更新）を防止することができる。
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
液体を吐出するノズルを有する液体吐出部と、
前記液体吐出部の前記ノズルが開口する空間を閉空間とするキャップと、
前記液体吐出部から吐出された液体を受容する液体受容部と、
液体の吐出条件が含まれる液体吐出ジョブに基づいて、前記液体吐出部から媒体に向けて液体を吐出させる制御部と、を備え、
前記液体吐出部が液体を前記液体受容部に向けて吐出することをフラッシングとし、前記キャップにより前記ノズルが開口する空間を前記閉空間とすることをキャッピングとしたとき、
前記制御部は、前記液体吐出ジョブとしての第１液体吐出ジョブに基づいて液体を吐出させた後に、前記フラッシングとしての第１フラッシングを行い、
前記第１フラッシングを行う間に前記液体吐出ジョブとしての第２液体吐出ジョブが入力される場合には、当該第２液体吐出ジョブに基づいて液体を吐出させ、前記第１フラッシングを行う間に前記第２液体吐出ジョブが入力されない場合には、前記キャッピングを行わせる
ことを特徴とする液体吐出装置。
【請求項２】
前記第１液体吐出ジョブが液体の吐出態様を確認する調整パターンを前記媒体に形成するための前記液体吐出ジョブである場合における、前記第１液体吐出ジョブに基づく液体の吐出が終了してから前記キャッピングを行わせるまでの時間は、前記第１液体吐出ジョブが前記調整パターンを前記媒体に形成するための前記液体吐出ジョブでない場合における、前記第１液体吐出ジョブに基づく液体の吐出が終了してから前記キャッピングを行わせるまでの時間よりも短い
ことを特徴とする請求項１に記載の液体吐出装置。
【請求項３】
前記制御部は、前記キャッピングを行わせた状態において、前記液体吐出ジョブが入力された場合には、前記キャッピングを解除させてから前記フラッシングとしての第２フラッシングを行わせた後に、当該液体吐出ジョブに基づいて液体を吐出させ、
前記第１フラッシングの強度は、前記第２フラッシングの強度よりも弱い
ことを特徴とする請求項１又は請求項２に記載の液体吐出装置。
【請求項４】
前記液体吐出部を収容する筐体と、
前記液体吐出部に液体が吐出された媒体を前記筐体外に搬送する搬送部と、をさらに備え、
前記媒体において、前記第１液体吐出ジョブに基づいて液体が吐出された領域を被吐出領域としたとき、
前記第１フラッシングは、少なくとも、前記被吐出領域が前記筐体外に搬送されるまで、行われる
ことを特徴とする請求項１〜請求項３のうち何れか一項に記載の液体吐出装置。
【請求項５】
前記媒体の幅方向における長さが所定の寸法より長い場合に前記第１フラッシングが行われる時間は、当該長さが前記所定の寸法である場合に前記第１フラッシングが行われる時間よりも長い
ことを特徴とする請求項１〜請求項４のうち何れか一項に記載の液体吐出装置。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
液滴吐出ヘッドと、
該液滴吐出ヘッドを保持し、主走査方向に移動可能なキャリッジと、
前記キャリッジを駆動する駆動手段と、
前記液滴吐出ヘッドに接触して前記液滴吐出ヘッドの吐出孔を密閉するキャップ部材と、
前記吐出孔を密閉する密閉位置と前記液滴吐出ヘッドから退避した退避位置との間で前記キャップ部材を移動させるキャップ移動機構とを備えた画像形成装置において、
前記キャップ部材が前記密閉位置をとるように前記キャップ移動機構を動作させた後、前記駆動手段により前記キャリッジを駆動し、キャリッジが動いたときの駆動力に基づいて、前記キャップ部材の密閉不良を判定する判定手段を備えたことを特徴とする画像形成装置。
【請求項２】
請求項１に記載の画像形成装置において、
前記キャリッジの移動を検知するキャリッジ移動検知手段を備え、
前記判定手段は、前記キャリッジ移動検知手段が前記キャリッジの移動を検知したときの前記駆動手段の駆動力が、閾値未満のとき前記キャップ部材の密閉不良と判定することを特徴とする画像形成装置。
【請求項３】
請求項１または２に記載の画像形成装置において、
前記キャップ部材は、前記液滴吐出ヘッドの前記吐出孔が形成された吐出面に接触して前記吐出孔を密閉することを特徴とする画像形成装置。
【請求項４】
請求項１乃至３いずれかに記載の画像形成装置において、
前記キャリッジは、複数の液滴吐出ヘッドを保持し、
前記キャップ部材は、前記液滴吐出ヘッドに対応して複数有しており、
前記キャップ移動機構は、複数のキャップ部材を同時に移動させるものであって、
前記判定手段は、ｎ個（ｎ≧２）の液滴吐出ヘッドがキャップ部材と対向する位置にキャリッジを停止させて、複数のキャップ部材が前記密閉位置をとるように前記キャップ移動機構を動作させた後、前記駆動手段により前記キャリッジを駆動し、前記キャリッジが移動したときの駆動力と、ｎ−１個の液滴吐出ヘッドがキャップ部材と対向する位置にキャリッジを停止させて、複数のキャップ部材が前記密閉位置をとるように前記キャップ移動機構を動作させた後、前記駆動手段により前記キャリッジを駆動し、前記キャリッジが移動したときの駆動力との差分に基づいて、キャップ部材の密閉不良を判定することを特徴とする画像形成装置。
【請求項５】
請求項４に記載の画像形成装置において、
前記キャップ部材を、前記液滴吐出ヘッドの前記吐出孔が形成された吐出面に向けて付勢する付勢手段を設けたことを特徴とする画像形成装置。
【請求項６】
請求項１乃至４いずれかに記載の画像形成装置において、
前記キャリッジは、複数の液滴吐出ヘッドを保持し、
前記キャップ部材を複数備え、
前記キャップ移動機構は、複数のキャップ部材のうちのひとつが、単独で前記密閉位置と前記退避位置との間を移動可能に構成されており、
単独で移動可能なキャップ部材が密閉位置にくるように前記キャップ移動機構を動作させた後、前記駆動手段により前記キャリッジを駆動し、前記キャリッジが移動したときの前記駆動手段の駆動力を、複数の液滴吐出ヘッドについて測定し、測定した複数の駆動力に基づいて、前記液滴吐出ヘッドの固定不良を判定する固定不良判定手段を備えることを特徴とする画像形成装置。
【請求項７】
請求項１乃至６いずれかに記載の画像形成装置において、
前記判定手段は、前記キャップ部材が前記密閉位置をとるように前記キャップ移動機構を動作させた後、前記駆動手段の駆動力を徐々に高めるように、前記駆動手段を制御することを特徴とする画像形成装置。
【手続補正書】
【提出日】平成30年10月15日(2018.10.15)
【手続補正１】
【補正対象書類名】明細書
【補正対象項目名】発明の名称
【補正方法】変更
【補正の内容】
【発明の名称】医用画像処理装置、医用画像処理装置の制御方法、及び医用画像処理装置に搭載可能なプログラム
【手続補正２】
【補正対象書類名】明細書
【補正対象項目名】０００１
【補正方法】変更
【補正の内容】
【０００１】
本発明は、医用画像処理装置、医用画像処理装置の制御方法、及び医用画像処理装置に搭載可能なプログラムに関する。
【手続補正３】
【補正対象書類名】明細書
【補正対象項目名】０００６
【補正方法】変更
【補正の内容】
【０００６】
上記課題を解決するために、本願発明の仕組みは、医用画像データから管状構造物を抽出する抽出手段と、前記抽出手段で抽出された管状構造物上の位置の指定を受け付ける受付手段と、前記受付手段で受け付けた位置の管状構造物の芯線と直交する直交平面上の管状構造物の直径もしくは半径を、前記芯線と前記管状構造物の輪郭を構成する複数の位置との距離をもとに算出するもしくは前記管状構造物の輪郭で囲まれた領域の面積をもとに算出する第１の算出手段と、前記直交平面上の管状構造物の直径もしくは半径を、前記管状構造物の輪郭の長さをもとに算出する第２の算出手段と、前記第１の算出手段で算出された第１の径と、前記第２の算出手段で算出された第２の径とに基づいて、前記第１の径及び前記第２の径とに差が生じているか否かを識別可能に表示するように表示制御する表示制御手段と、を有することを特徴としている。
【手続補正４】
【補正対象書類名】特許請求の範囲
【補正対象項目名】全文
【補正方法】変更
【補正の内容】
【特許請求の範囲】
【請求項１】
医用画像データから管状構造物を抽出する抽出手段と、
前記抽出手段で抽出された管状構造物上の位置の指定を受け付ける受付手段と、
前記受付手段で受け付けた位置の管状構造物の芯線と直交する直交平面上の管状構造物の直径もしくは半径を、前記芯線と前記管状構造物の輪郭を構成する複数の位置との距離をもとに算出するもしくは前記管状構造物の輪郭で囲まれた領域の面積をもとに算出する第１の算出手段と、
前記直交平面上の管状構造物の直径もしくは半径を、前記管状構造物の輪郭の長さをもとに算出する第２の算出手段と、
前記第１の算出手段で算出された第１の径と、前記第２の算出手段で算出された第２の径とに基づいて、前記第１の径及び前記第２の径とに差が生じているか否かを識別可能に表示するように表示制御する表示制御手段と、
を有する医用画像処理装置。
【請求項２】
前記表示制御手段は、前記第１の径と、前記第２の径とを表示するように表示制御することを特徴とする請求項１に記載の医用画像処理装置。
【請求項３】
前記表示制御手段は、前記第２の径と前記第１の径との差が所定以上である場合を、所定未満である場合よりも強調して表示するように制御することを特徴とする請求項２に記載の医用画像処理装置。
【請求項４】
前記表示制御手段は、前記第１の径と、前記第２の径との差が所定以上である場合を、所定未満である場合よりも強調して表示するように制御することを特徴とする請求項１に記載の医用画像処理装置。
【請求項５】
前記受付手段は、前記管状構造物の始点と終点との位置の指定を受け付け可能であり、
前記第１の算出手段と前記第２の算出手段とは、前記始点と前記終点で特定される範囲内の複数の位置において、直径もしくは半径を算出し、
前記表示制御手段は、前記始点と前記終点で特定される範囲のうち、前記管状構造物の画像上に前記第２の径と前記第１の径との差が前記所定以上である範囲を識別可能に表示することを特徴とする請求項３または請求項４に記載の医用画像処理装置。
【請求項６】
前記受付手段は、前記管状構造物の始点と終点との位置の指定を受け付け可能であり、
前記第１の算出手段と前記第２の算出手段とは、前記始点と前記終点で特定される範囲内の複数の位置において、前記管状構造物の直径もしくは半径を算出し、
前記表示制御手段は、前記複数の位置において表示することを特徴とする請求項１乃至５のいずれか１項に記載の医用画像処理装置。
【請求項７】
医用画像処理装置の制御方法であって、
前記医用画像処理装置が、
医用画像データから管状構造物を抽出する抽出工程と、
前記抽出工程で抽出された管状構造物上の位置の指定を受け付ける受付工程と、
前記受付工程で受け付けた位置の管状構造物の芯線と直交する直交平面上の管状構造物の直径もしくは半径を、前記芯線と前記管状構造物の輪郭を構成する複数の位置との距離をもとに算出するもしくは前記管状構造物の輪郭で囲まれた領域の面積をもとに算出する第１の算出工程と、
前記直交平面上の管状構造物の直径もしくは半径を、前記管状構造物の輪郭の長さをもとに算出する第２の算出工程と、
前記第１の算出工程で算出された第１の径と、前記第２の算出工程で算出された第２の径とに基づいて、前記第１の径及び前記第２の径とに差が生じているか否かを識別可能に表示するように表示制御する表示制御工程と、
を有する制御方法。
【請求項８】
医用画像処理装置に搭載可能なプログラムであって、
前記医用画像処理装置を、
医用画像データから管状構造物を抽出する抽出手段と、
前記抽出手段で抽出された管状構造物上の位置の指定を受け付ける受付手段と、
前記受付手段で受け付けた位置の管状構造物の芯線と直交する直交平面上の管状構造物の直径もしくは半径を、前記芯線と前記管状構造物の輪郭を構成する複数の位置との距離をもとに算出するもしくは前記管状構造物の輪郭で囲まれた領域の面積をもとに算出する第１の算出手段と、
前記直交平面上の管状構造物の直径もしくは半径を、前記管状構造物の輪郭の長さをもとに算出する第２の算出手段と、
前記第１の算出手段で算出された第１の径と、前記第２の算出手段で算出された第２の径とに基づいて、前記第１の径及び前記第２の径とに差が生じているか否かを識別可能に表示するように表示制御する表示制御手段と、
として機能させることを特徴とするプログラム。
【手続補正書】
【提出日】平成30年4月25日(2018.4.25)
【手続補正１】
【補正対象書類名】明細書
【補正対象項目名】０００２
【補正方法】変更
【補正の内容】
【０００２】
遊技盤面上に備えた一括表示装置に複数の遊技状態や各種情報を報知する遊技機がある。
【手続補正２】
【補正対象書類名】明細書
【補正対象項目名】０００３
【補正方法】変更
【補正の内容】
【０００３】
【特許文献１】特開２０１４−８３１７５号公報
【手続補正３】
【補正対象書類名】明細書
【補正対象項目名】０００４
【補正方法】変更
【補正の内容】
【０００４】
しかしながら、一括表示装置は、遊技状態を一括して報知することから必ずしも遊技者にとって遊技進行の理解を容易にさせるものではない。
【手続補正４】
【補正対象書類名】明細書
【補正対象項目名】０００５
【補正方法】変更
【補正の内容】
【０００５】
１つの側面では、本発明は、遊技者にとって理解容易な遊技進行を報知できる遊技機を提供することを目的とする。
【手続補正５】
【補正対象書類名】明細書
【補正対象項目名】０００６
【補正方法】変更
【補正の内容】
【０００６】
上記目的を達成するために、以下に示すような、遊技機が提供される。遊技機は、前面側に一括表示装置と、複数の発光部と、を備える。一括表示装置は、複数の表示灯を有し、変動表示ゲームの結果導出中表示と結果表示とを第１の数の表示灯により報知可能とする。複数の発光部は、複数の点灯態様の表示制御により遊技状態を報知可能とする。
【手続補正６】
【補正対象書類名】明細書
【補正対象項目名】０００７
【補正方法】変更
【補正の内容】
【０００７】
１態様によれば、遊技機において、遊技者にとって理解容易な遊技進行を報知できる。
【手続補正７】
【補正対象書類名】特許請求の範囲
【補正対象項目名】全文
【補正方法】変更
【補正の内容】
【特許請求の範囲】
【請求項１】
前面側に一括表示装置と、複数の発光部と、を備えた遊技機において、
前記一括表示装置は、複数の表示灯を有し、変動表示ゲームの結果導出中表示と結果表示とを第１の数の表示灯により報知可能とし、
前記複数の発光部は、複数の点灯態様の表示制御により遊技状態を報知可能とする、
ことを特徴とする遊技機。